(57)【要約】【課題】いくつかの所定の位置の内、任意の位置で切断可能な軸を有することを特徴とする、長さ調節可能な骨ねじを提供する。【解決手段】長さ調節可能な骨ねじは、同じか又は異なる初期長さを有する多くの骨ねじを含むキットの形で提供されることもある。これらのねじは、外科的処置に先立って又はその最中に所望の長さに切断し、外科的処置において使用することが可能である。長さ調節可能な骨ねじは、複数の、ねじ山が切られた軸区間を有し、それらは複数の、ねじ山が切られていない軸区間によって、軸の長さに沿って分離されている。ねじ山が切られた区間が、少なくとも２つの、長手方向に軸に沿って延びる切断溝を有することが好ましい。本発明は、長さ調節可能な骨ねじと、長さ調節可能な骨ねじを製造するための方法と、長さ調節可能な骨ねじをサイズ決めするための方法と、複数の長さ調節可能な骨ねじを製造するための方法とを提供する。【選択図】図１
2018183654.tif 000002
【特許請求の範囲】
【請求項１】
ねじが骨に挿入される外科手術において使用するための、長さ調節可能な骨ねじであって、該骨ねじは、
近位端と遠位端との間に延び、外面を有するねじ頭部、及び軸であって、前記ねじ頭部及び前記軸が、長手方向軸線に沿って延び、前記軸が、軸外面を有し、かつ前記ねじ頭部の前記遠位端と遠位先端との間に延び、前記ねじ頭部の前記外面が、前記長手方向軸線に対して垂直な第１の方向に沿って測定された最大直径を有し、前記最大直径が、前記第１の方向に沿って測定された前記軸外面の最大直径より大きい、ねじ頭部及び軸と、
前記軸に沿って長手方向の分散した位置にある複数の、ねじ山を切られた部位と、
前記軸に沿って長手方向の分散した位置にある複数の、ねじ山を切られていない部位とを有し、前記ねじ山を切られた部位が、前記ねじ山を切られていない部位により長手方向に分離され、前記ねじ山を切られた部位が、前記軸の周りに少なくとも部分的に円周方向に延びる一連のねじ山を有し、
前記複数の、ねじ山を切られた部位がそれぞれ、少なくとも２つの切断溝を有し、それぞれの切断溝が、前記ねじ軸内に径方向に形成され、前記ねじ山を切られた部位の長さに沿って長手方向に延びる切り欠きにより画定され、前記ねじ山を切られた部位の前記ねじ山が、前記軸の周りに円周方向に延びる少なくとも２つの不連続なねじ山セグメントへと形成され、
複数の、前記ねじ山を切られていない部位が、前記軸に沿って長手方向に、近位側から遠位側に向けて、テーパー形状になっており、前記複数のテーパー形状のねじ山を切られていない部位の近位側に隣接する、複数の、前記ねじ山を切られた部位が、前記隣接する、ねじ山を切られていない部位の前記テーパーと同じ角度のテーパー形状になっている頂上部を有する、少なくとも１つのねじ山を有することを特徴とする、骨ねじ。
【請求項２】
前記テーパー形状のねじ山を切られた部位について、それぞれのねじ山セグメントが、少なくとも１つのテーパー形状のねじ山を有することを特徴とする、請求項１に記載の長さ調節可能な骨ねじ。
【請求項３】
前記切断溝が、前記ねじ軸の前記長手方向軸線に対して平行に延びることを特徴とする、請求項１に記載の長さ調節可能な骨ねじ。
【請求項４】
前記複数の、ねじ山を切られた部位それぞれの前記切断溝それぞれの前記切り欠きが、前記ねじ軸の表面から、前記ねじ軸の中央線を過ぎた点まで延びることを特徴とする、請求項１に記載の長さ調節可能な骨ねじ。
【請求項５】
前記複数の、ねじ山を切られた部位それぞれの前記切断溝それぞれの前記切り欠きが、前記ねじ軸の表面から、凹部の深さの方向において前記ねじ軸の中央線に平行な方向に測定して前記ねじの直径の少なくとも１５％の深さに延びていることを特徴とする、請求項１に記載の長さ調節可能な骨ねじ。
【請求項６】
長さ調節可能な骨ねじを製造するための方法であって、該方法は、
（ａ）最大頭部直径を有する近位側頭部、最大軸直径を有する軸、及び遠位先端を有する骨ねじを製作する工程であって、前記最大頭部直径が、前記最大軸直径より大きい、工程と、
（ｂ）前記軸に沿って近位端及び遠位端を有する複数の、ねじ山を切られた部位を形成する工程と、
（ｃ）前記複数の、ねじ山を切られた部位それぞれの長さに沿ってそれぞれの遠位端に前記軸の内部に切り込まれた第１及び第２の切り欠きを形成して、２つの切断溝を形成する工程であって、前記複数の、ねじ山を切られた部位それぞれが、それぞれの長さに沿って２つの不連続な円周方向のねじ山セグメントを有する、工程と、
（ｄ）長手方向に前記軸に沿って延びる、複数のねじ山を切られていない部位を形成する工程であって、複数の、前記ねじ山を切られた部位が、前記近位端及び遠位端において、ねじ山を切られていない部位により境界をつけられる、工程と、
（ｅ）前記複数のねじ山を切られていない部位のうちの複数において、前記軸に沿って長手方向に、近位側から遠位側に向けて、第１の角度でテーパー形状の領域を形成し、前記複数の、ねじ山を切られた部位のうちの複数において、第２の角度でテーパーを形成する工程であって、前記第１の角度が前記第２の角度と同じである、工程と、を含む、方法。
【請求項７】
工程（ｅ）が、それぞれの前記ねじ山を切られた部位の頂上部にテーパーを形成することを含む、請求項６に記載の方法。
【請求項８】
長さ調節可能な骨ねじをサイズ決めするための方法であって、該方法は、
（ａ）挿入方向に沿って骨へと挿入される前記長さ調節可能な骨ねじの所望の長さを決定する工程であって、前記長さ調節可能な骨ねじは前記所望の長さよりも長い初期長さを有する、工程と、
（ｂ）切断後の長さの骨ねじを画定するために前記長さ調節可能な骨ねじを前記所望の長さへと切断する工程であって、前記切断後の長さの骨ねじは近位頭部と前記近位頭部から前記挿入方向に沿って伸びる軸部とを有し、前記近位頭部は前記挿入方向に垂直である横方向に沿って測定した第１の厚さを有し、及び前記軸部は同じ前記横方向に沿って測定した第２の厚さを有し、前記第２の厚さは前記第１の厚さよりも小さく、前記切断後の長さの骨ねじの前記軸部は、前記挿入方向に沿ってねじ山を切られた領域及びねじ山を切られていない領域を交互に有し、前記切断は前記軸部に沿って長手方向にテーパー状であるねじ山を切られていない領域のうちの選択された１つで実行される、工程と、を含む、方法。
【請求項９】
外科的処置における使用のための、骨ねじの所望の直径を選択する工程をさらに含む、請求項８に記載の方法。
【請求項１０】
前記選択する工程は、前記決定する工程の前に実行する、請求項９に記載の方法。
【請求項１１】
前記切断する工程は、前記ねじ山を切られていない領域の１つにおいて実行する、請求項８に記載の方法。
【請求項１２】
複数の長さ調節可能な骨ねじを製造するための方法であって、該方法は、
（ａ）ｉ）近位頭部と、ｉｉ）長軸に沿って細長く、前記近位頭部から遠位方向に延び、少なくとも１つのねじ山を切られた部位を画定する、軸と、ｉｉｉ）前記近位頭部から前記遠位方向に離間された遠位先端とを有する、骨ねじを作製する工程であって、前記近位頭部は、前記長軸に垂直な方向に沿って測定した前記軸の断面寸法よりも大きい、前記長軸に垂直な方向に関する断面寸法を有する、工程と、
（ｂ）前記長軸に沿って、ねじ山を切られていない部位により互いに離間する少なくとも２つのねじ山を切られた部位を画定するために、前記ねじ山を切られた部位の少なくとも１つにおいて前記軸の一部分を取り除く工程であって、前記ねじ山を切られていない部位は前記遠位方向に沿った前記長軸に向かって第１の角度で内側にテーパー状になっている、工程と、を含む、方法。
【請求項１３】
前記取り除く工程は、前記シャフトに少なくとも２つの切断溝を形成する工程をさらに含み、前記２つの切断溝のそれぞれが１つで、前記ねじ山を切られた部位の少なくとも２つの分離されたものと一致する、請求項１２に記載の方法。
【請求項１４】
前記ねじ山を切られた部位の少なくとも２つのうちの少なくとも１つに、テーパー状の領域を形成する工程であって、前記テーパー状の領域は、前記遠位方向に沿った前記長軸に向かって前記第１の角度で内側にテーパー状になっている、工程をさらに含む、請求項１３に記載の方法。
【請求項１５】
前記取り除く工程及び前記形成する工程が、同時に実行される、請求項１４に記載の方法。
【請求項１６】
前記取り除く工程及び前記形成する工程が、工作機械により実行される、請求項１４に記載の方法。
【発明の詳細な説明】
【技術分野】
【０００１】
本発明は一般に、自在長骨ねじに関し、外科的処置の間又はその準備時に、ねじを適切な長さに切断するために用いられる器具に関する。
【背景技術】
【０００２】
多くの外科的処置の最中に、外科医は、骨ねじを用いる必要に迫られる。よくある例としては、骨折の修復のために骨接合板を用いる際に、骨ねじが、骨接合板をその位置に固定するために用いられる。骨が癒えるまで、骨ねじはその場所に、骨接合板とともに残され、その後、取り除かれるか、又はそのままその場所に残される。
【０００３】
外科医は、ある特定の外科的処置において、さまざまに異なる長さ及びサイズの骨ねじを用いることが必要とされる場合がある。それゆえ、手術スタッフは、処置中に利用できるように、比較的大量の骨ねじのストックを用意する必要がある。こうしたストックの必要に歯止めをかけられれば、それは、外科チームにとって、コストをかなり削減できるということになる。
【０００４】
これまでに、この問題に対処するための、骨ねじのデザイン及びシステムが提案されてきた。例えば、ドイツ特許出願公開第１９９４３５９４  Ａ１号は、複数の互いに分離されたねじ山セグメントを有し、ねじ山セグメントにねじが分割されている、あるタイプのねじのデザインを開示している。また、米国特許出願公開第２００３／０２２９３５４  Ａ１号は、ねじの長さを調整するために、切断治具の助けを借りて切断することが可能である骨ねじを開示している。
【０００５】
そのねじの長さを調節するために、外科的処置に先立って又は処置の最中に即座に切断できて、かつ、その骨ねじが外科的処置において即座に使用可能であるような骨ねじのデザインを提供することが、当該技術分野では必要とされている。また、ねじを所望の長さに切断するのに用いられる切断用器具も、必要とされている。
【発明の概要】
【課題を解決するための手段】
【０００６】
本発明は、外科的処置に先立って又はその最中に、手術スタッフにより、所望の長さに調節可能である、自在長外科用骨ねじのデザインと、ねじを所望の長さに切断するための器具又は工具と、複数のそのようなねじ及び任意追加的に切断用工具を含むキットと、外科的処置の最中に、全体的なシステムを用いるための方法と、に関する。
【０００７】
自在長骨ねじは、ねじが骨に挿入される外科手術において用いるために、所望の長さに調節され得る。１つの実施形態においては、骨ねじは、ねじ頭部と軸の遠位先端との間に延びる軸区間を備える。ねじ頭部は、ねじ頭部の近位端から、ねじ頭部の遠位端に向かって延びる長さを有するが、この遠位端は、ねじ軸が始まる位置である。ねじ、またそれゆえにねじ軸は、好ましくはねじの中心を通って延びる長手方向軸線を有するが、好ましくは丸い外周を有する。ねじは、軸に沿って長手方向の分離した位置にある複数の、ねじ山を切られた部位と、軸に沿って長手方向の分離した位置にある複数の、ねじ山を切られていない部位と、を有し、ねじ山を切られた部位は、ねじ山を切られていない部位により長手方向に分離され、ねじ山を切られた部位は、軸の周りに少なくとも部分的に円周方向に延びる一連のねじ山を含む。複数の、ねじ山を切られた部位はそれぞれ、少なくとも１つの、好ましくは少なくとも２つの切断溝を有し、それぞれの切断溝は、ねじ軸内に径方向に形成され、ねじ山を切られた部位の長さに沿って、長手方向に延びる切り欠き又は凹部より画定される。切断溝は、軸の周りに円周方向に延びる、好ましくは少なくとも２つのねじ山セグメント（２つの溝に対応する）に分割し、ねじ山を切られた部位のねじ山を、ねじ山が軸の周りに連続的に円周方向には延びないようにする。
【０００８】
骨ねじの長さは、手術スタッフにより、外科的処置に先立って又はその最中に、調節され得る。１つの実施形態においては、切断用工具とともに使用されるように意図されている、長さ調節可能な、ある初期長さを有する骨ねじを切断するための工具が、第１アームと、第１アームに枢動可能に接続された第２アームとを備える。工具は、第２アーム内に、長手方向に、第２アームに沿って延び、骨ねじを受容するように構成されている、第１の細長い開放式チャネルであって、ねじの初期長さよりも短い、骨ねじの切断後の長さを反映する複数の指標を有するチャネルを、更に備え得る。工具はまた、第１アーム又は第２アームに結合され、露出した切断面を有する切断用ブレードも含み得るが、切断用ブレードは、第１アーム及び第２アームを、互いに向けて枢動すると、切断面が、骨ねじの前記軸に接触し、骨ねじ軸をせん断し、骨ねじを切断後の長さに切断するように、アーム上に位置決めされる。
【０００９】
また本発明は、ねじが骨に挿入される外科手術又は外科的処置において用いるための複数の、長さ調節可能な骨ねじを含む、キットも提供する。キットは、本明細書で説明するような、複数の、長さ調節可能な骨ねじを備え得る。キット内の骨ねじは、それぞれが同じ初期長さと、ねじの長さを調節するための所望のセグメント長さとを有し得る。またキットは、本明細書に記述されるように、さまざまな初期長さの長さ調節可能な骨ねじであって、それらさまざまな初期長さのねじに対するさまざまなセグメント調節長さの骨ねじをも含み得る。
【００１０】
また、本発明は、外科的処置を実行するためのさまざまな方法をも提供する。１つの実施形態においては、複数の長さ調節可能な骨ねじを用いて外科的処置を実行するための方法が提供されるが、その方法においては、手術スタッフの一員が、少なくとも１本の、好ましくは複数本の長さ調節可能な骨ねじの長さを、本明細書に説明されるように切断する。次に、手術スタッフは切断後の長さの骨ねじを、骨に挿入することで、外科的処置に用いる。骨接合板、又は髄内杆体若しくは髄内釘のような固定装置を用いて、又はそれを用いずに骨折に対処するために、ねじは用いられ得る。
【図面の簡単な説明】
【００１１】
前述の概要、並びに、以下のある好ましい実施形態の詳細な説明は、添付の図式的な図面と併せて読むと、より理解が深まる。本発明を説明する目的のために、図面は、現在好ましい実施形態を示す。しかしながら、本発明は、図面に開示される特定の手段に限定されない。図面において、
【図１】本開示の１つの実施形態による、外科用骨ねじの斜視図である。
【図２】図１に示した骨ねじの長手方向断面図である。
【図３】図１に示した骨ねじの断面図である。
【図４】図１に示した骨ねじの詳細な長手方向断面図である。
【図５】本発明の切断用工具の１つの実施形態の斜視図である。
【図６】図６の切断用工具に用いられ得る切断用ブレードの１つの実施形態の斜視図である。
【図７】本発明の切断用工具の他の実施形態の斜視図である。
【発明を実施するための形態】
【００１２】
以下の説明では、特定の用語は、単に便宜上使用され、限定なものではない。用語「右」、「左」、「下方」、及び「上方」は、参照する図面内での方向を指定する。用語「近位に」及び「遠位に」は、外科器具を使用する外科医に向かう方向、及びその外科医から離れる方向を、それぞれ指す。専門用語には、前述で列挙した語、その派生語、及び同様の意味を有する語が含まれる。
【００１３】
図１と、図１の長手方向の断面図である図２とを参照すると、本発明の１つの実施形態による骨ねじ１０が示されている。骨ねじ１０は、軸１２を有する。軸１２は、ねじ山パターン１４を有する。骨ねじ１０は、頭部１６、遠位先端１８、及び長手方向軸線ＬＡを有するが、頭部１６は、ドライバーと係合するための、少なくとも１つの開口部をその近位面上に有する。ねじは、業界で採用されている任意のねじ山径を有するように提供され得る。典型的な直径の例としては、１．０ｍｍ、１．３ｍｍ、１．５ｍｍ、２．０ｍｍ、２．４ｍｍ、２．７ｍｍ、３．５ｍｍ、４．０ｍｍ、４．５ｍｍ、及び６．５ｍｍが挙げられる。ねじは、好ましくは、ステンレス鋼やチタンのような金属製である。ねじは、生体吸収性及び生体適合性のある材料製でもあり得る。例としては、ポリ−Ｌ−ラクチド酸（ＰＬＬＡ）又はその等価物が挙げられる。ねじ１０は、軸１２の近位区間にはねじ山を有さず、遠位区間には下に説明するようなねじ山のデザインを有するラグねじでもあり得る。
【００１４】
骨ねじ１０の軸１２は、手術で必要とされるところによって、さまざまな任意の長さに切断されるように設計されている。図１に示すように、骨ねじ１０は、頭部１６の近位端から遠位先端１８まで延びる、製造時点の、初期の、又は第１の長さＬ１を有する。図１に描かれているように、軸１２は、好ましくは、不連続なねじ山パターン１４を有する。「不連続な」とは、軸１２の長手方向に沿って、分離しているねじ山部位２０に、ねじ山が存在し、軸１２がねじ山を切られていない部位２２をも含んでいることを意味している。ねじ山部位２０は、軸１２に沿って、近位側開始点２４から遠位側終了点２５に延びている。また、ねじ山を切られていない部位２２は、遠位点２６で終端となり、点２５で開始されている。１つの好ましい実施形態においては、ねじ山部位２０及びねじ山が切られていない部位２２は、それぞれの傍らに交互に配置されている。
【００１５】
図１に描かれているように、骨ねじ１０は、さまざまな長さに切断、又はセグメント化され得る。ねじ１０は、初期長さＬ１を有する。手術スタッフは、ねじ１０を、その長手方向の、先端１８近くのある点で切断することによって、ねじ１０の長さを短くすることができる。手術スタッフがねじ１０を、ねじ山を切られていない部位２２のうちの１つに沿ったある１点で切断することが好ましく、かつ、そのねじ山を切られていない部位２２の遠位側終了点２６で切断することが、より好ましい。図１に描かれているように、ねじ山部位２０の開始点２４と、隣接したねじ山を切られていない部位の遠位側終了点２６との間の距離は、あらかじめ決められた距離Ｌ２であり得る。距離Ｌ２は、軸１２の長手方向に均一であり得るが、それぞれの区間Ｌ２ごとに、それぞれ異なっている場合もある。すなわち、図に描かれているように、距離Ｌ２は一定であり得る。あるいは、他の実施形態においては、軸１２はさまざまな異なる長さＬ２を有するように作られていてもよい。このように、例えば、ねじは、元々の長さ、約５０ｍｍ（Ｌ１）を有していてよく、かつ、約４ｍｍである均一な長さＬ２を有していて、ねじ長が、４６ｍｍ、４２ｍｍ、３８ｍｍ、３４ｍｍ、３０ｍｍ等の長さに短縮され得るようになっていてよい。
【００１６】
本発明の骨ねじ１０は、さまざまな初期長さＬ１と、設計上のかつ所望の切断長さによって漸次短縮されるセグメント長さＬ２と、を有することができる。例えば、元々の長さＬ１は、１０ｍｍ〜１５０ｍｍの間の任意の長さであってよく、セグメント刻み幅Ｌ２は、２ｍｍ〜１０ｍｍの間の任意の長さであってよく、好ましくは、互いに２ｍｍ、４ｍｍ、又は５ｍｍの間が空けてあると良い。例えば、皮質性骨ねじの好ましい初期長さＬ１は、８ｍｍ〜７０ｍｍで、２ｍｍ間隔（例えば、６ｍｍ、８ｍｍ、１０ｍｍ、１２ｍｍ等）の任意のものであり、これらのねじに対して、セグメント刻み幅Ｌ２は、２ｍｍ又は４ｍｍの刻み幅であり得る。特に好ましい皮質性ねじは、２４ｍｍ、４０ｍｍ、５０ｍｍ、６０ｍｍ、又は７０ｍｍの初期長さＬ１と、２ｍｍ、４ｍｍ、又は５ｍｍのセグメント刻み幅Ｌ２と、を有する。また、例えば、海綿性骨ねじの好ましい初期長さＬ１は、８ｍｍ〜１５０ｍｍで、２ｍｍ間隔（例えば、６ｍｍ、８ｍｍ、１０ｍｍ、１２ｍｍ等）の任意のものであり、これらのねじに対して、セグメント刻み幅Ｌ２は、２ｍｍ又は４ｍｍの刻み幅であり得る。特に好ましい海綿性ねじは、５０ｍｍ又は１１０ｍｍの初期長さＬ１と、２ｍｍ、４ｍｍ、又は５ｍｍのセグメント刻み幅Ｌ２と、を有する。その骨ねじは、一体式の軸を有する従来のねじ、又はカニューレを挿入された軸を有するねじであり得る。
【００１７】
骨ねじ１０は、所望の手術用途によって、任意のタイプの頭部のデザインを有し得る。例えば、図１に示すように、骨ねじ１０は、ねじ山を切られた、円錐形の頭部１６を有する止めねじである。止めねじ１０は、丸型又は球形の、ねじ山を切られた頭部１６を有することもできる。ねじ１０は、好ましくは、ねじ山を切られていない頭部１６であり、丸型若しくは球形の頭部１６、又は円錐形の頭部１６を有する、止めねじではない従来型のねじでもあり得る。ねじ１０は、頭部１６の近位端から、第１の、ねじ山を切られていない部位２２の遠位端まで延びる、一次最短長さＬ３を有する。１つの好ましい実施形態においては、ねじに対する一次長さＬ３は、セグメント刻み幅Ｌ２の長さの約２倍である。そのため、１つの実施形態においては、例えば、一次長さＬ３は８ｍｍで、セグメント刻み幅Ｌ２は４ｍｍであり得るが、それにより、ねじ長は、頭部１６の近位端から遠位側への切断位置によって（また、これは、上述のすべての長さＬ１及びＬ２にも当てはまるが）、８ｍｍ〜１２ｍｍ、１６ｍｍ、２０ｍｍ等の範囲となり得る。
【００１８】
図１に示すように、また、図３においてよりよく理解できるように、骨ねじ１０の軸１２に沿ってねじ山を切られた部位２０に存在しているねじ山は、好ましくは部分的、円周方向ねじ山デザインである。この「部分的、円周方向ねじ山」が意味するのは、軸１２に沿った、少なくとも１つの、好ましくは過半数の、及びより好ましくはそれぞれの、ねじ山を切られた部位２０をなすねじ山１５が、ねじ山の表面から内側に軸１２へと延び、かつ軸１２に沿って長手方向に延びる、少なくとも１本の、好ましくは複数の切断溝３０を含んでいるということである。ねじ１０は好ましくは、２本の互いに対向する（１８０度離間配置された）切断溝３０を含むが、切断溝の数は、１本、２本、３本、４本、５本、６本、又はそれより多くてもよく、それらの溝が軸１２の表面周り３６０°に等しい間隔で離間配置されていても、あるいは軸１２の周りに等しくない間隔で離間配置されていてもよい。すなわち切断溝３０は、周辺のねじ山パターン１４を離間した周辺ねじ山セグメント３９に分割するが、ねじ山セグメント３９の数は、一般的には、切断溝３０又は凹部３１の数と等しくなっている。切断溝３０は、ねじ１０を、骨に穿孔された穴に、より容易に押し込むことができるような、自ら雌ねじを切る能力を有するねじ１０を提供するように機能する。
【００１９】
図３に示すように、１つの実施形態においては、軸１２が２本の切断溝３０を含むことが好ましい。切断溝３０は、さまざまな幾何学的形状のうちの任意のものをとり得るが、ねじ山部位２０に切り欠き又は凹部３１として形成される。切断溝は、第１エッジ３６から第２エッジ３８に延びる。好ましくは、切断溝３０は、第１エッジ３６と第２エッジ３８との間の９０°の直角の切り欠き３１として形成され、かつ、第１側壁３２と第２側壁３４とを有する。しかしながら、切断溝３０を形成している切り欠き３１は、側壁３２、３４により形成される鈍角又は鋭角を有し得る。また、切断溝３０を形成している切り欠き３１は、例えば３つ又は４つの側壁のように、２つより多くの側壁を有し得る。他の実施形態においては、第１エッジ３６から第２エッジ３８へと延びる切断溝を形成している切り欠き３１は、曲面であり得、好ましくは凹面である。単一のねじ山部位２０のための切断溝３０を形成する切り欠き３１は、好ましくは、図３に示すような直角の切り欠きのような、同じ幾何学的形状である。しかしながら、本明細書に記載される形状のうちの任意のものの間で、ミックスして用いられてもよい。更に、切断溝３０を形成している切り欠き３１は、好ましくは、それぞれの離間されたねじ山部位２０に対して、軸１２に沿って同じである。しかしながら、前述のように、それぞれのねじ山部位は、ミックスされた切り欠きの幾何学的形状を有し得るだけでなく、個別のねじ山部位２０に対する凹部の幾何学的形状は、互いに異なり、上述の幾何学的形状の任意の組み合わせであり得る。切り欠き３１、それゆえすなわち切断溝３０は、ねじ軸１２の長手方向軸線ＬＡに平行に延びることが好ましい。しかしながら、切り欠き３１は、軸１２内に、実質的に長手方向軸線ＬＡに平行になるように形成され得るか、又は切り欠き３１は、長手方向軸線ＬＡから、１°、２°、５°、１０°、１５°、２０°、３０°、又は４５°と等しい又はそれより大きな角度をなしていてよく、好ましくは、その角度は４５°よりも小さく、より好ましくは、３０°より小さく、また、いくつかの実施形態においては、１°〜４５°であり、好ましくは、２°〜３０°であり、より好ましくは、５°〜２０°である。
【００２０】
切断溝３０を形成する切り欠き又は凹部３１の深さは、図３に示すように、好ましくは、例えば第１側壁３２に対するような第１方向においては、切り欠き３１が、距離Ｘによって示されるように、軸１２の直径の中央線ＣＬ１を越えて延びている。１つの好ましい実施形態においては、中央線を超える距離Ｘは、約０．０５ｍｍ〜０．２５ｍｍであり、より好ましくは、約０．０５ｍｍ〜０．１５ｍｍであり、更により好ましくは、約０．１０ｍｍである。距離Ｘは、ねじ１０の直径の約１％〜約１０％、好ましくは約２％〜約６％、及びより好ましくは、約３％〜約５％でもあり得る。例えば、２．５ｍｍの直径を有するねじ１０に対しては、距離Ｘは約０．１ｍｍである。他の実施形態においては、凹部３１の第１側壁３２の深さは、ねじ軸の直径の少なくとも１０％、好ましくは少なくとも１５％、より好ましくは少なくとも２０％であり得る。なおこの深さは、軸１２の表面からねじの中心線（例えばＣＬ２）に平行に、切り欠き３１の方向に計測する。第２の、第１の中央線ＣＬ１に平行で、第２の中央線ＣＬ２に垂直な方向の深さは、好ましくは第１の方向の深さよりも浅く、ＣＬ２に平行なこの方向の切り欠き３１の深さは、好ましくは、ねじ１０の軸１２の直径の約５％〜約２５％、より好ましくは、約１０％〜約２０％、より好ましくは約１２．５％〜約１７．５％である。このように、図３に好ましい実施形態に対するものが示されている、２つの切断溝３０の互いに対向する第１側壁３２の間の距離Ｙは、軸１２の直径の約５０％〜約９０％、好ましくは約６０％〜約８０％、より好ましくは約６５％〜約７５％である。１つの実施形態においては、切断溝は、切断溝が形成されているねじ山を切られた部位２０の全長にわたり延びているが、切断溝は、例えば、少なくとも１本の、好ましくは少なくとも２本の、長手方向に整列されているねじ山１５のような、ねじ山を切られた部位の全長の一部分にのみわたって形成され得る。すなわち、１つの実施形態においては、切断溝が存在している、個々のねじ山を切られた部位２０の全長の、少なくとも約１０％、１５％、２０％、２５％、３５％、５０％に沿って切断溝は延びることになる。１つの実施形態においては、切断溝は、第１の、最も遠位側の、ねじ山を切られた区間２０から、連続して隣接するねじ山を切られた区間２０を通って、頭部１６に隣接するねじ山を切られた区間２０に至るよう、少なくとも１本、２本、又は３本の連続する、長手方向に隣接したねじ山１５に対して、軸１２の全長に沿って形成される。すなわち、切断溝を形成する切り欠き３１は、ねじ山を切られた区間２０のそれぞれの全体に延びている必要はない。
【００２１】
本発明の１つの実施形態においては、ねじ山パターン１４中の１本以上のねじ山１５は、図２の部位Ｗを拡大した図４に示されるように、遠位部位４２に沿ってテーパー形状になっていてもよい。テーパー形状のねじ山４４は、好ましくは、特定のねじ山セグメント３９に対し、特定のねじ山部位２０内の最も遠位側のねじ山を形成するねじ山１５である。実際には、テーパー形状のねじ山４４は、少なくとも１つのねじ山セグメント３９内の少なくとも１本のねじ山１５となるであろう。しかしながら、好ましくは、テーパー形状のねじ山４４は、特定のねじ山部位２０内の、それぞれのねじ山セグメント３９に対して、少なくとも１本のねじ山１５に対するものになるであろう。軸に沿った複数のねじ山部位２０に対する、それぞれのねじ山セグメント３９内の少なくとも１本のねじ山１５に対して、テーパー形状のねじ山４４が作られるということもまた好ましい。１つの実施形態においては、軸に沿った過半数のねじ山部位２０に対して、少なくとも１つのねじ山セグメント３９内の、又はそれぞれのねじ山セグメント３９に対して、少なくとも１本のねじ山１５に対して、テーパー形状のねじ山４４が設けられるであろう。他の実施形態においては、軸に沿ったねじ山部位２０のそれぞれに対して、少なくとも１つのねじ山セグメント３９内の、又はそれぞれのねじ山セグメント３９に対して、少なくとも一本のねじ山１５に対して、テーパー形状のねじ山４４が設けられるであろう。前述の実施形態のそれぞれに対しては、テーパー形状のねじ山４４は、少なくとも一本のねじ山１５にではなく、複数のねじ山１５にわたって延び得る。テーパー形状のねじ山４４に対するテーパーは、図４の角度αにより示されるように、長手方向軸線ＬＡから、好ましくは５°〜３０°の角度であり、より好ましくは１０°〜３０°の角度であり、最も好ましくは、１５°〜２５°の角度である。図４に示すように、テーパー角αは、ねじ山を切られていない部位２２が、その近位側開始点からねじ山を切られた区間２０に隣接する遠位端に向かって、その外面２３に沿ってテーパー形状になっているように、ねじ山を切られていない部位２２に沿って延びるということもまた好ましい。
【００２２】
ねじ１０は、さまざまな個別の既知の製造技術を用いて、本発明の、新規の手順工程によって形成され得る。１つの方法においては、ねじ１０は、従来の方法で、その軸１２に沿って完全に、ねじ山１５で、ねじ切りがされていてよい。次に、軸１２は、テーパー形状のねじ山４４を形成するために工作機械によって加工され得るが、その加工により、ねじ山を切られていない部位２２も形成され得る。次に、軸１２は、切断溝３０を形成するためにねじ山が切られた部位２０に沿って切り欠き又は凹部３１を作るために工作機械によって加工され得る。代替的な方法においては、ねじ１０は、従来の方法で、その軸１２に沿って完全に、ねじ山１５でねじ切りがされてよく、次に、切断溝３０を形成するために、軸１２の長さ方向に切り欠き又は凹部３１を作るために工作機械によって加工され得る。次に、軸１２は、テーパー形状のねじ山４４を形成するために工作機械によって加工され得るが、その加工により、ねじ山を切られていない部位２２も形成され得る。
【００２３】
本発明はまた、骨ねじ１０を適切な長さに切断するために用いられる切断用工具又は器具６０も、その範囲に含む。図５に示すように、工具６０に対する１つの実施形態においては、ねじ１０が、工具６０の１つのアームの長さ方向に延びるチャネル６２内に置かれる。工具６０は好ましくは、第１側壁面６８、及び対向する第２側壁面６９を有する複数の壁６４からなる。これらの側壁面６８、６９は、ねじ１０の長手方向軸線ＬＡに対して、実質的に垂直に、好ましくは垂直に形成されている。側壁面６８、６９は、互いに対向する側壁面６８、６９がその間に、ねじ軸１２のねじ山が切られた部位２０を受け入れるための凹部７０を形成するような、下面７４からの高さを有する。側壁面６８、６９は、真っ直ぐであっても、又は角度がついていてもよく、また、凹状又は凸状の曲面状であってもよい。これらの凹部７０は、ねじを工具６０内に収容するために、好ましくは概ね、ねじ軸１２の直径の少なくとも約３５％、より好ましくは少なくとも約５０％、更により好ましくは少なくとも約６５％の深さを有する。それゆえ、例えば、２．５ｍｍの直径を有するねじに対しては、凹部７０は好ましくは、約０．８７５ｍｍの、より好ましくは約１．２５ｍｍの、更により好ましくは約１．６２５ｍｍの深さを有する。壁６４は、ねじ軸１２のねじ山を切られていない部位２２を受容するための長手方向の凹部７２を有するが、これらの長手方向の凹部は、互いに対向する長手方向の壁面６６により形成される。これらの壁面６６は、真っ直ぐな壁面若しくは角度のついた壁面であってよく、又は壁面６６は曲面であってもよい。長手方向の凹部７２の深さは、好ましくは、凹部７０の深さと同じであるが、これら２つの凹部の深さは異なっていてもよい。壁面６６は、骨ねじ軸１２の直径とほぼ同じ幅の凹部を提供するために、互いに間を空けて対向している。この幅は、特にもし、壁６４が、ねじをスナップ嵌め式に受容するように膨張できる弾力のある材料でできている場合には、ねじ軸の直径よりわずかに小さくてよい。凹部７２を画定するためのこれらの壁６４の幅もまた、ねじを保持するため、ねじ軸の直径と等しいか、それよりわずかに大きくてよい。
【００２４】
切断用工具６０は、さまざまな所望の長さに骨ねじ１０を切断するように設計されている。工具６０は、好ましくは切断用ブレード７６を含む。ブレード７６は、工具６０の第１アーム８０内に画定されたチャンバ７８ａ内に収容されている。工具６０はまた、好ましくはカッティングブロック７７をも有するが、ブレード７６は、ねじ１０にかける切断力を、このブロック７７に向けてかけることができる。好ましくは、切断用ブレード７６及びブロック７７は金属製であり、工具６０の他のパーツは、金属、プラスチック材料、又は他の好適な材料といった材料から作られていてよい。カッティングブロック７７は、工具６０の第２アーム８２内のチャンバ７８ｂに収容され得る。図示されているように、第２アームのカッティングブロック７７は、好ましくは、チャネル６２の近位部分に配置されており、また切断用ブレード７６は好ましくは、その前面５２が、チャネル６２の近位部分のすぐ隣を、カッティングブロック７７の近位面７９に向かって切断するように通過するように配置されている。工具は、第２アーム８２を有するが、この第２アーム８２は、ピボット８４を介して、第１アーム８０に、枢動可能に結合されている。ピボット８４は、任意の既知の構造であり得る。例えば、第１及び第２アーム８０、８２を通って延びるピボットピンであってよく、その場合に、第１アーム８０が第１凸面８６を有し、第２アーム８２が第２凹面８８を有し、これらの面が互いの周りを枢動するように設計されており、第２アーム８２は、第１アーム８０内で、ピボット８４における凹部（不図示）内へと延びる、延長された遠位部分（不図示）を有するようになっていてよい。第１アーム８０及び第２アーム８２は、それぞれハンドル８８及び９０を有するが、それらはユーザーによって、ピボット８４の周りにアームを動かすために握られることができるようになっている。工具６０は、切断用ブレード７６が第１アーム８０に、カッティングブロック７７が第２アーム８２にあるように描かれているが、これらは入れ替えて、切断用ブレード７６のサイズを変え、第２アーム８２のチャンバ７８ｂ内に収容されるように構成し、カッティングブロックのサイズを変え、第１アーム８０のチャンバ７８ａ内に収容されるように構成することができる。
【００２５】
切断用ブレード７６は好ましくは、ねじを、ねじ山を切られていない部位２２の遠位端に近い点で切断するように設計されている鋭利な切断縁部５０を有する。図６により詳細に示すように、切断用ブレード７６は、好ましくは前側切断用刃面５２から後側切断用刃面５４まで角度が付けてある、切断縁部５０を有する。切断縁部５０の角度は、少なくとも約１０°、少なくとも約３０°、又は少なくとも約５０°であり得る。１つの実施形態においては、図６に示されるように、切断用ブレード７６は、少なくとも１本の切断用チャネル５６を有するように設計されている。切断用チャネル５６は、切断用刃壁５８により画定される凹部として切断縁部５０から内に形成されている。このように、ねじ軸１２に接触してそれを切断する切断縁部５０の前面５２が、切断用チャネル５６を形成する切断用壁により画定される曲面又は凹面であるように切断用ブレード７６は設計されている。ハンドル８８、９０を作動させて、前側切断用面５２がねじ軸１２に対して押し付けられるにつれて、ねじ軸１２が切断され、遠位側の、切断された部分は、切断用チャネル５６内に落下する。
【００２６】
図６に示されるように、切断用ブレード７６は、２本の切断用チャネル５６を有するように構成され得る。チャネル６２は、工具の両面に提供され得るので、指標６１は異なっていても、又は同じであってもよい。例えば、工具の一方の側においては、指標は、２ｍｍ、４ｍｍ、又は６ｍｍの刻み幅であってよく、かつ他方の側においては、２ｍｍ、４ｍｍ、又は６ｍｍの刻み幅であってよいが、しかし指標は、２つの対向する側において異なっていてもよい。例えば一方の側は、４ｍｍの刻み幅で、６０ｍｍ、５６ｍｍ、５２ｍｍ、４８ｍｍ等と表示し、かつ他方の面は、同じ４ｍｍの刻み幅であるが、異なるレベルで、５８ｍｍ、５４ｍｍ、５０ｍｍ等と表示をしてもよい。２本の溝は、ねじが、チャネル６２の適切な選択によって、２ｍｍの刻み幅で切断され得るようになっていてよい。代替的な実施形態においては、指標６１はそれぞれの側で同じであり得る。それゆえ、ある用途においては、工具６０は、２本のねじ１０を一度に切断するために用いられ得る。すなわち、工具６０は、ねじ１０を収容するように関連付けられたチャネル６２を、工具の両側に有するように構成され得る。そうすると、手術スタッフの一員は、工具６０に、一度に２本のねじを装填することが可能となり、ハンドル８８、９０を作動して、一度に両方のねじ１０を切断することが可能になる。そのようにして切断された２本のねじは、チャネル６２及び関連する指標６１の構成によって、同じ長さにも異なる長さにもなり得る。
【００２７】
再び図５を参照すると、ねじを切断するために、手術スタッフの一員は、ねじをチャネル６２内に挿入する。ねじの頭部１６は、ねじ頭部１６の上面に対するショルダーを形成する第１側壁面６８に押し付けて配置されるであろう。工具６０は、ねじ１０の最終的な切断長さを示す指標６１を含むこともできる。工具６０は好ましくは、ねじ軸１２に対してスナップ嵌め固定を形成するために、壁面６６がわずかに弾力性を持つように作られているように設計される。次に、ユーザーは、ハンドル８８、９０を枢動させて、切断用ブレード７６及びその切断縁部５０をねじ軸１２に接触させることができる。継続的に力をハンドルにかけると、切断用ブレード７６がカッティングブロック７７に対して押し付けられ、ねじ軸１２を切断するのに十分なせん断力を発生させるであろう。工具６０は、切断用ブレード７６の切断縁部５０がカッティングブロック７７の近位面７９の近位側を、同面７９に隣接して通過するように設計される。
【００２８】
図７は、切断用工具６０の他の実施形態を描いている。本実施形態においては、工具６０は、第１ハンドル８８に接続された第１アーム８０と、第２ハンドル９０（不図示、ハンドル８８の裏側にある）と接続された第２アーム８２と、を有する。アーム８０、８２は、枢動可能に取り付けられており、ハンドル８８、９０を作動させると、アーム８０、８２が、ねじ１０が配置されている、その遠位部分において互いに対して枢動するようになっている。ねじ１０は、ハウジング９３内に配置された開口部９２内に位置している。ハウジング９３は、第１アーム８０に隣接して配置される。第１及び第２アーム８０、８２は、アーム８０、８２が第１の（非切断）位置にある時にアーム８０、８２を通って延びる、アーム開口部９４を画定する。ハウジング９３には、測定ブロック９５が結合されている。測定ブロック９５は、ねじ頭部１６をどこに位置決めしたらよいかを決定するための指標６１を有する。調節可能スライダ９６が、ブロック９５に沿って調節可能に配置されており、設定ねじ９７によって、その位置を固定される。使用する際には、手術スタッフの一員がねじ１０を開口部９２、９４内において、所望のねじ長のための所望の指標６１の位置に、頭部１６を位置決めする。次に、スライダ９６を、ねじ頭部１６に対して位置決めし、設定ねじ９７によりその位置にロックする。次に、ハンドル８８、９０を作動して、アーム８０、８２を枢動させて、ねじ軸１２を所望の位置で切る。切断用ブレード７６（不図示）は、第１アーム８０の上面９８若しくは下面９９上に、又は第２アーム８２の上面１００若しくは下面１０１上に、位置決めすることができる。
【００２９】
本発明による外科的処置を実行するにあたり、外科医はその処置に適切な直径のねじ１０を選択する。外科医は、適切なサイズのドリルビットを用いて、ねじが設置される骨に穴を穿孔する。外科医は、必要に応じて、骨に開けた穴に座ぐり加工を施し、骨ねじ１０の頭部が収まるための面を提供する（ねじ１０が、例えば、骨接合板を骨の表面に固定するために用いられる場合には、座ぐり加工は不要である）。外科医は、骨ねじ１０の適切な長さを決定するのを助けるために、深度ゲージを穿孔した穴に挿入してもよい。任意追加的に、外科医は、あらかじめ穴に雌ねじを切っておいてもよい。外科医は、所望の長さよりも長い初期長さＬ１を有する骨ねじ１０を取り、切断用工具６０を用いて、そのねじ１０を所望の長さに切断する。次に、修正された長さのねじ１０を、ねじ１０を骨に開けた穴内に前進させることによって、外科的処置に用いる。ねじ１０は、ねじ１０を、骨折箇所にわたって挿入することによって、又は当該技術分野で周知のように、ねじ１０を用いて、骨接合板を骨折箇所付近の骨の表面に固定することによって、骨折の修復に用いることができる。この工程は、外科医又は手術スタッフにより、処置において用いられるそれぞれの骨ねじ１０に対して繰り返し行われ得る。骨ねじ１０は、標準的圧縮骨ねじ、骨接合板に係止するためのねじ山が切られた頭部を有する止めねじ、又は２つの骨のフラグメント間に圧縮力を提供するために用いられるラグねじであり得る。
【００３０】
また本発明は、本明細書に記述した骨ねじ１０のセットを含む手術キットをも提供する。すなわち、キットには、それぞれが同じ初期長さＬ１を有する又はさまざまな初期長さＬ１を有する、複数の骨ねじ１０を含み得る。加えて、キットには、異なるセグメント長さＬ２を有する複数のねじ１０が含まれ得る。またキットには、さまざまなタイプのねじ（標準的、係止用、ラグねじ等）が含まれ得る。キットは、これらの特徴（さまざまな初期長さＬ１、さまざまなセグメント長さＬ２、及びさまざまなタイプのねじ）の任意のものを組み合わせて含み得る。したがって、キットは、任意の種類のタイプのねじ（標準的、係止用、ラグねじ等）、それぞれのタイプのねじに対してさまざまな初期長さＬ１のねじ、及び、それぞれのタイプ、初期長さＬ１のねじに対してさまざまなセグメント長さＬ２のねじを有し得る。好ましくは、キットは、標準的、係止用、又はラグねじのような単一のタイプ、単一の初期長さＬ１、及び単一のセグメント長さＬ２を有するねじを含むことになる。他の実施形態においては、キットは、単一のタイプの骨ねじであって、単一の初期長さＬ１、及びさまざまなセグメント長さＬ２を有するねじを含むことになる。他の実施形態においては、単一のタイプ、２種類以上の初期長さＬ１、及び同じセグメント長さＬ２又は異なるセグメント長さＬ２を有するねじを含むことになる。
【００３１】
図に示された実施形態の説明及び議論は、単に例示のためにすぎず、本開示を限定するものと解釈すべきではないことに留意されたい。本開示は、さまざまな実施形態を意図することを、当業者は理解するであろう。１つの実施形態に従って記載され、例証された特徴及び構造は、別途記載のない限り、本明細書に記載されるようにすべての実施形態に適用可能であることは、更に理解されよう。加えて、上記の実施形態とともに上述された概念を、単独で又は上述された他の実施形態のいずれかとの組み合わせで用いてもよいことを理解すべきである。
【００３２】
〔実施の態様〕
（１）  ねじが骨に挿入される外科手術において使用するための、長さ調節可能な骨ねじであって、該骨ねじは、
近位端を有するねじ頭部と遠位先端との間に延び、長手方向軸線を有する軸区間と、
前記軸に沿って長手方向の分散した位置にある複数の、ねじ山を切られた部位と、
前記軸に沿って長手方向の分散した位置にある複数の、ねじ山を切られていない部位とを有し、前記ねじ山を切られた部位が、前記ねじ山を切られていない部位により長手方向に分離され、前記ねじ山を切られた部位が、前記軸の周りに少なくとも部分的に円周方向に延びる一連のねじ山を有し、
前記複数の、ねじ山を切られた部位がそれぞれ、少なくとも１つの切断溝を有し、それぞれの切断溝が、前記ねじ軸内に径方向に形成され、前記ねじ山を切られた部位の長さに沿って長手方向に延びる切り欠きにより画定され、
前記少なくとも１つの切断溝が、前記ねじ山を切られた部位のねじ山を、前記軸の周りに円周方向に延びる少なくとも１つの不連続なねじ山セグメントに分割し、前記ねじ山が前記軸の周りに連続的に円周方向に延びないようにすることを特徴とする、骨ねじ。
（２）  少なくとも２つの前記切断溝を更に有し、前記少なくとも２つの切断溝が、前記ねじ山を切られた部位のねじ山を、前記軸の周りに円周方向に延びる少なくとも２つの不連続なねじ山セグメントに分割することを特徴とする、実施態様１に記載の長さ調節可能な骨ねじ。
（３）  複数の、前記ねじ山を切られていない部位が、前記軸に沿って長手方向に、近位側から遠位側に向けて、テーパー形状になっていることを特徴とする、実施態様２に記載の長さ調節可能な骨ねじ。
（４）  前記複数のテーパー形状のねじ山を切られていない部位の近位側に隣接する、複数の、前記ねじ山を切られた部位が、前記隣接する、ねじ山を切られていない部位の前記テーパーと同じ角度のテーパー形状になっている、少なくとも１つのねじ山を有することを特徴とする、実施態様３に記載の長さ調節可能な骨ねじ。
（５）  前記テーパー形状のねじ山を切られた部位について、それぞれのねじ山セグメントが、少なくとも１つのテーパー形状のねじ山を有することを特徴とする、実施態様４に記載の長さ調節可能な骨ねじ。
【００３３】
（６）  前記切断溝が、前記ねじ軸の前記長手方向軸線に対して平行に延びることを特徴とする、実施態様２に記載の長さ調節可能な骨ねじ。
（７）  前記複数の、ねじ山を切られた部位がそれぞれ、２つの切断溝を有することを特徴とする、実施態様１に記載の長さ調節可能な骨ねじ。
（８）  前記複数の、ねじ山を切られた部位それぞれの前記切断溝それぞれの前記切り欠きが、前記ねじ軸の表面から、前記ねじ軸の中央線を過ぎた点まで延びることを特徴とする、実施態様７に記載の長さ調節可能な骨ねじ。
（９）  前記複数の、ねじ山を切られた部位それぞれの前記切断溝それぞれの前記切り欠きが、前記ねじ軸の表面から、凹部の深さの方向において前記ねじ軸の中央線に平行な方向に測定して前記ねじの直径の少なくとも１５％の深さに延びていることを特徴とする、実施態様２に記載の長さ調節可能な骨ねじ。
（１０）  切断用工具とともに使用するように意図され、初期長さを有する、長さ調節可能な骨ねじを切断するための切断用工具であって、該工具は、
第１アーム、及び前記第１アームに枢動可能に接続された第２アームと、
前記第２アーム内において前記第２アームに沿って縦方向に延び、前記骨ねじを受容するように構成されている、第１の細長い開放式チャネルであって、前記ねじの初期長さよりも短い、前記骨ねじの切断後の長さを反映する複数の指標を有する、チャネルと、
前記第１アーム又は第２アームに結合され、露出した切断面を有する切断用ブレードと、を備え、前記第１アーム及び第２アームを互いに向けて枢動すると、前記切断面が、前記骨ねじの軸に接触し、前記骨ねじ軸をせん断し、前記骨ねじを前記切断後の長さに切断するように、前記切断用ブレードが前記アーム上に位置決めされることを特徴とする、工具。
【００３４】
（１１）  前記第１のチャネルが、少なくとも実質的に前記第１のチャネルと平行に延びる複数の対向する壁面により、部分的に画定され、前記壁面が、ほぼ前記ねじ軸の直径分だけ互いに離れて位置していることを特徴とする、実施態様１０に記載の切断用工具。
（１２）  前記第１のチャネルが、少なくとも実質的に前記第１のチャネルと平行に延びる複数の対向する壁面により、部分的に画定され、前記壁面が、前記ねじ軸の直径よりもわずかに短い距離分互いに離れて位置していることを特徴とする、実施態様１０に記載の切断用工具。
（１３）  前記第１のチャネルが、少なくとも実質的に前記第１のチャネルと平行に延びる複数の対向する壁面により、部分的に画定され、前記壁面が、前記ねじ頭部の幅より短い距離分互いに離れて位置していることを特徴とする、実施態様１０に記載の切断用工具。
（１４）  前記切断用ブレードが、前切断面と、反対側の後面とを有する切断縁部を備え、前記切断縁部は、前記前面から前記後面まで角度が付けられており、かつ前記切断縁部が、前記前面から前記後面へ延びる、第１凹状切断用チャネルを備えることを特徴とする、実施態様１０に記載の切断用工具。
（１５）  前記第２アーム内において前記第２アームに沿って縦方向に延び、前記骨ねじを受容するように構成されている、第２の細長い開放式チャネルを更に備え、前記チャネルが、前記ねじの初期長さよりも短い、前記骨ねじの切断後の長さを反映する複数の指標を有し、前記第２のチャネルが、前記第２アームの、前記第１のチャネルとは反対側に位置していることを特徴とする、実施態様１０に記載の切断用工具。
【００３５】
（１６）  前記切断用ブレードが、前切断面と、反対側の後面とを有する切断縁部を備え、前記切断縁部が、前記前面から前記後面まで角度が付けられており、かつ前記切断縁部が、前記前面から前記後面へ延びる、第１凹状切断用チャネルと第２凹状切断用チャネルとを備えることを特徴とする、実施態様１５に記載の切断用工具。
（１７）  ねじが骨に挿入される外科手術において使用するための、長さ調節可能な骨ねじのキットであって、該キットは、
複数の骨ねじを備え、それぞれの骨ねじが、
近位端を有するねじ頭部と遠位先端との間に延び、長手方向軸線を有する軸区間と、
前記軸に沿って長手方向の分散した位置にある複数の、ねじ山を切られた部位と、
前記軸に沿って長手方向の分散した位置にある複数の、ねじ山を切られていない部位とを有し、前記ねじ山を切られた部位が、前記ねじ山を切られていない部位により長手方向に分離され、前記ねじ山を切られた部位が、前記軸の周りに少なくとも部分的に円周方向に延びる一連のねじ山を有し、
前記複数の、ねじ山を切られた部位がそれぞれ、少なくとも２つの切断溝を有し、それぞれの切断溝が、前記ねじ軸内に径方向に形成され、前記ねじ山を切られた部位の長さに沿って長手方向に延びる凹部により画定され、
前記切断溝が、前記ねじ山を切られた部位のねじ山を、前記軸の周りに円周方向に延びる少なくとも２つのねじ山セグメントに分割し、前記ねじ山が前記軸の周りに連続的に円周方向には延びないようにし、
前記骨ねじが、前記頭部の前記近位端と前記遠位先端との間の距離により定められる初期長さを有する、キット。
（１８）  同じ初期長さを有する骨ねじのみを含む、実施態様１７に記載のキット。
（１９）  第１初期長さを有する複数の骨ねじと、前記第１初期長さよりも長い第２初期長さを有する複数の骨ねじとを含む、実施態様１７に記載のキット。
（２０）  複数の長さ調節可能な骨ねじを使用し、外科的処置を実行する方法であって、該方法は、
（ａ）長さ調節可能な骨ねじの長さを切断する工程であって、前記骨ねじが、
近位端を有するねじ頭部と遠位先端との間に延び、長手方向軸線を有する軸区間と、
前記軸に沿って長手方向の分散した位置にある複数の、ねじ山を切られた部位と、
前記軸に沿って長手方向の分散した位置にある複数の、ねじ山を切られていない部位とを有し、前記ねじ山を切られた部位が、前記ねじ山を切られていない部位により長手方向に分離され、前記ねじ山を切られた部位が、前記軸の周りに少なくとも部分的に円周方向に延びる一連のねじ山を有し、
前記複数の、ねじ山を切られた部位がそれぞれ、少なくとも２つの切断溝を有し、それぞれの切断溝が、前記ねじ軸内に径方向に形成され、前記ねじ山を切られた部位の長さに沿って長手方向に延びる凹部により画定され、
前記切断溝が、前記ねじ山を切られた部位のねじ山を、前記軸の周りに円周方向に延びる少なくとも２つのねじ山セグメントに分割し、前記ねじ山が前記軸の周りに連続的に円周方向には延びないようにする、工程と、
（ｂ）前記骨ねじを骨内に挿入することにより、前記切断後の長さの骨ねじを外科的処置で使用する工程と、を含む、方法。
【００３６】
（２１）  複数の長さ調節可能な骨ねじを製造するための方法であって、該方法は、
（ａ）近位側頭部、軸、及び遠位先端を有する骨ねじを製作する工程と、
（ｂ）前記軸に沿って近位端及び遠位端を有する複数の、ねじ山を切られた部位を形成する工程であって、前記ねじ山を切られた部位が、不連続な円周方向のねじ山をその長さに沿って有するように、前記ねじ山を切られた部位の長さに沿って前記軸の内部に切り込まれた切り欠きによって形成される、少なくとも１つの切断溝を、前記ねじ山を切られた部位が有する、工程と、
（ｃ）長手方向に前記軸に沿って延びる、複数のねじ山を切られていない部位を形成する工程であって、複数の、前記ねじ山を切られた部位が、前記近位端及び遠位端において、ねじ山を切っていない部位により境界をつけられる、工程と、を含む、方法。
（２２）  少なくとも２つの切断溝を、前記複数の、ねじ山を切られた部位の長さに沿って形成する工程を更に含む、実施態様２１に記載の方法。
【図１】
2018183654.tif 000003
【図２】
2018183654.tif 000004
【図３】
2018183654.tif 000005
【図４】
2018183654.tif 000006
【図５】
2018183654.tif 000007
【図６】
2018183654.tif 000008
【図７】
2018183654.tif 000009